(57)【要約】【課題】  モバイル端末（112〜118）のユーザに実質的にアクセス可能な場所（120）にある、関連の識別子およびコンテンツデータを有するトランスポンダ（102〜108）を突止めるための方法およびシステムを提供する。【解決手段】  トランスポンダ（102〜108）は、モバイル端末（112〜118）によって無線信号で活性化される。これに応答して、モバイル端末（112〜118）は前記活性化されたトランスポンダ（102〜108）から、前記モバイル端末（112〜118）において、少なくとも識別子およびコンテンツデータを受信する。この受信された識別子および／またはコンテンツデータから、当該方法およびシステムは、１以上の基準に従って、１以上の保存されたデータ項目を選択する。
2006505178.tif 000002
【特許請求の範囲】
【請求項１】
トランスポンダとの遭遇を通してのサービス要求に含めるべきデータ項目を選択する、モバイル端末における方法であって：前記モバイル端末はその中に保存された１以上のデータ項目を有し、また当該方法は、
（ａ）少なくとも識別子およびこれに関連したコンテンツデータを有するトランスポンダを、モバイル端末によって送信される無線信号を介して活性化することと；
（ｂ）前記モバイル端末が前記トランスポンダの無線送信範囲内に位置するときに、前記活性化されたトランスポンダから、少なくとも前記識別子およびコンテンツデータを前記モバイル端末において受信することと；
（ｃ）前記受信された識別子および／またはコンテンツデータから、１以上の基準に従って、下記のうちの少なくとも一つを含む前記保存されたデータ項目の１以上を選択することと；
（i）前記受信された識別子、
（ii）前記受信されたコンテンツデータ、
（iii）前記保存されたデータ項目に関連する１以上の条件、
（iv）前記モバイル端末のユーザによって設定された１以上の条件；
（ｄ）前記１以上の選択されたデータ項目に基づいて、前記サービス要求を発生することと；
（ｅ）前記サービス要求をサービスプロバイダに送信することと；
を含んでなる方法。
【請求項２】
請求項１に記載の方法であって、前記サービス要求がショートメッセージサービス（SMS）プッシュ要求である方法。
【請求項３】
請求項１に記載の方法であって、前記サービス要求がマルチメディアメッセージサービス（MMS）プッシュ要求である方法。
【請求項４】
請求項１に記載の方法であって、前記サービス要求が無線アプリケーションプロトコール（WAP）要求である方法。
【請求項５】
請求項１に記載の方法であって、前記サービス要求が、ハイパーテキスト記述言語（HTML）コンテンツについての要求である方法。
【請求項６】
請求項１に記載の方法であって、前記サービス要求がインスタントメッセージ伝達要求である方法。
【請求項７】
請求項１に記載の方法であって、前記ステップ（ｃ）が、前記モバイル端末に保存された選択アプリケーションを開始させることを含んでなる方法。
【請求項８】
請求項１に記載の方法であって、前記保存されたデータ項目に関連した１以上の条件が、カードとして前記モバイル端末に保存される方法。
【請求項９】
請求項１に記載の方法であって、前記モバイル端末のユーザが設定する１以上の条件は、前記モバイル端末が、前記活性化されたトランスポンダから少なくとも一つの前記識別子およびコンテンツデータを受信する前に設定される方法。
【請求項１０】
請求項７に記載の方法であって、前記選択アプリケーションは、前記モバイル端末のユーザによって起動される方法。
【請求項１１】
請求項７に記載の方法であって、前記選択アプリケーションが自動的に起動される方法。
【請求項１２】
請求項１に記載の方法であって：更に、
前記選択されたデータ項目を、前記ユーザに承認のために提供することと；
前記ユーザからの承認指示を受信したときに、前記選択されたデータ項目に基づいて前記サービス要求を発生させることと；
を含んでなる方法。
【請求項１３】
請求項１に記載の方法であって：更に、
前記トランスポンダから受信された識別子およびコンテンツを、前記モバイル端末において保存することを含んでなる方法。
【請求項１４】
トランスポンダとの遭遇を通してのサービス要求に含めるべきデータ項目を選択する、モバイル端末におけるシステムであって：前記モバイル端末はその中に保存された１以上のデータ項目を有し、また当該システムは、
少なくとも識別子およびこれに関連したコンテンツデータを有するトランスポンダを、モバイル端末によって送信される無線信号を介して活性化する手段と；
前記モバイル端末が前記トランスポンダの無線送信範囲内に位置するときに、前記活性化されたトランスポンダから、少なくとも前記識別子およびコンテンツデータを前記モバイル端末において受信する手段と；
前記受信された識別子および／またはコンテンツデータから、１以上の基準に従って、下記のうちの少なくとも一つを含む前記保存されたデータ項目の１以上を選択する手段と；
（i）前記受信された識別子、
（ii）前記受信されたコンテンツデータ、
（iii）前記保存されたデータ項目に関連する１以上の条件、
（iv）前記モバイル端末のユーザによって設定された１以上の条件；
前記１以上の選択されたデータ項目に基づいて、前記サービス要求を発生する手段と；
前記サービス要求をサービスプロバイダに送信する手段と；
を含んでなる方法。
【請求項１５】
請求項１４に記載のシステムであって、前記サービス要求がショートメッセージサービス（SMS）プッシュ要求であるシステム。
【請求項１６】
請求項１４に記載のシステムであって、前記サービス要求がマルチメディアメッセージサービス（MMS）プッシュ要求であるシステム。
【請求項１７】
請求項１４に記載のシステムであって、前記サービス要求が無線アプリケーションプロトコール（WAP）要求であるシステム。
【請求項１８】
請求項１４に記載のシステムであって、前記サービス要求が、ハイパーテキスト記述言語（HTML）コンテンツについての要求であるシステム。
【請求項１９】
請求項１４に記載のシステムであって、前記サービス要求がインスタントメッセージ伝達要求であるシステム。
【請求項２０】
請求項１４に記載のシステムであって、前記選択する手段が、前記モバイル端末に保存された選択アプリケーションを開始させる手段を含んでなるシステム。
【請求項２１】
請求項１４に記載のシステムであって、前記保存されたデータ項目に関連した１以上の条件が、カードとして前記モバイル端末に保存されるシステム。
【請求項２２】
請求項１４に記載のシステムであって、前記モバイル端末のユーザが設定する１以上の条件は、前記モバイル端末が、前記活性化されたトランスポンダから少なくとも一つの前記識別子およびコンテンツデータを受信する前に設定されるシステム。
【請求項２３】
請求項２０に記載のシステムであって、前記選択アプリケーションは、前記モバイル端末のユーザによって起動されるシステム。
【請求項２４】
請求項２０に記載のシステムであって、前記選択アプリケーションが自動的に起動されるシステム。
【請求項２５】
請求項１４に記載のシステムであって：更に、
前記選択されたデータ項目を、前記ユーザに承認のために提供する手段と；
前記ユーザからの承認指示を受信したときに、前記選択されたデータ項目に基づいて前記サービス要求を発生させる手段と；
を含んでなるシステム。
【請求項２６】
請求項１４に記載の方法であって：更に、
前記トランスポンダから受信された識別子およびコンテンツを、前記モバイル端末において保存する手段を含んでなる方法。
【請求項２７】
請求項１に記載の方法であって、前記サービス要求がJAMA midlet要求である方法。
【請求項２８】
請求項１４に記載のシステムであって、前記サービス要求がJAMA midlet要求であるシステム。
【請求項２９】
請求項１に記載の方法であって、更に、前記タグの１以上の特徴に基づいて、活性化のための前記タグを選択することを含んでなる方法。
【請求項３０】
請求項２９に記載の方法であって、前記１以上の特徴にはタグの場所が含まれる方法。
【請求項３１】
請求項１４に記載のシステムであって、更に、前記タグの１以上の特徴に基づいて、活性化のための前記タグを選択する手段を含んでなるシステム。
【請求項３２】
請求項３１に記載のシステムであって、前記１以上の特徴にはタグの場所が含まれるシステム。
【発明の詳細な説明】
【技術分野】
【０００１】
（関連出願の表示）
この出願は、2002年10月31日に出願された「サービス要求のためのデータ項目を選択する方法およびシステム」と題する米国出願番号10／284,253の優先権を主張するものであり、その明細書の全体を本明細書の一部として本願に援用する。
【０００２】
本発明は、一般には移動体通信に関し、より詳細に言えば、無線識別技術を使用して、移動端末を介して、利用可能な情報およびサービス／アプリケーションを突止めるためのシステム、方法および装置に関する。
【背景技術】
【０００３】
移動体電話は、それが始めて市場に導入されたときは、おそらく多くの人々が贅沢品と考えたであろうが、今日の我々の社会において、それは非常に重要で、便利かつ有用な道具と考えられている。今や、非常に多くの人々が、何処へ行くときにも彼等のモバイル装置を携行している。この無線通信の人気によって、多くの新しい無線システム、装置、プロトコール等が生み出されてきた。また、進歩した無線機能および能力に対する消費者の要求は、無線装置の有用性および能力における広範な技術的進歩をも活性化させてきた。無線／モバイル装置は、音声通信を可能にするだけでなく、メッセージ送信、マルチメディア通信、ｅメール、インターネット閲覧、および広範な無線アプリケーションおよびサービスへのアクセスをも容易にする。
【０００４】
信じられないような量のコンテンツ、アプリケーション、サービス等が、無線装置で使用するために既に利用可能になっている。しかし、更なる技術の進歩が、デスクトップユニットと無線ユニットとの間のギャップを継続的に減少させるであろうから、モバイル端末にアクセス可能な情報の量は、これから毎年著しく増大するであろう。この過剰な情報へのアクセスは、モバイル世界にとっては刺激的ではあるが、所望の情報を見付けること、および種々のアクセス方法を利用することは、気楽なモバイル端末ユーザには耐え難い負担になる可能性がある。実際に、現在のモバイルデータサービスは普及するのが比較的遅く、これは部分的には、現存の携帯電話のユーザに提供されるサービス発見ソリューションが不便かつ複雑であることによるものである。
【０００５】
現在のモバイルデータサービスの発見および開始は、種々の方法で達成されている。無線アプリケーションプロトコール（WAP）を使用した閲覧は、一般にはオペレータが予め設定したサービス入口から出発すること、および種々のメニューをクリックすることにより閲覧を進めることを含んでいる。現在の他のモバイルデータサービスの発見法には、広告宣伝等の種々の供給源から、ショートメッセージサービス（SMS）等のメッセージを送信するために必要な情報についての検索が含まれる。例えば、ユーザは、一連のコンテンツおよびアプリケーション番号を発見するために、宣伝広告を検索することが必要とされるかもしれない。もう一つの現存するサービス発見方法は、モバイル端末構成の設定を含んでいる。現在、これは屡々、ウエッブサイトから該構成を起動すること、またはそれを個人的に要求することによって行われる。
【０００６】
更に、モバイル装置で使用するために利用可能な幾つかのアプリケーションまたはサービスは、ユーザが、このようなアプリケーションおよび／またはサービスが非常に有用であり得る特定の場所に物理的に置かれるまでは、少ししか価値のないものであるかもしれない。これは、一般的には場所ベースのサービス（LBS）と称される概念を導く。しかし、現存するLBSは一般に、幾つかの形態の閲覧、メッセージ送信、またはユーザの一部に対する他の特別な動作を必要とし、上記で列記した先行技術の何れの欠点からもユーザを開放しない。
【０００７】
従って、通信産業においては、モバイルデータサービスを発見および開始する際の、ユーザの過剰な負担を低減する方法が必要とされている。本発明は、ユーザが一定の種類の情報を欲する可能性が高い状況／場所にいるときに、当該サービスおよび情報を突止めるために、ユーザが多くのネットワークサイト、宣伝広告、文書などを通って移動する必要性を顕著に低減する。本発明は、これらの必要性および他の必要性を満たし、また先行技術に対する他の利点を提供するものである。
【０００８】
（発明の概要）
本発明は、モバイル端末が１以上のデータ項目を保存する場合に、トランスポンダに遭遇することを通して、サービス要求に含まれるべきデータ項目を選択するための、モバイル端末における方法に向けられている。この方法およびシステムは、モバイル端末のユーザに実質的にアクセス可能な場所において、関連の識別子およびコンテンツデータを有するトランスポンダを突止める。該トランスポンダは、無線信号を用いてモバイル端末により活性化される。応答に際して、モバイル端末は該モバイル端末において、活性化されたトランスポンダから、少なくとも前記識別子およびコンテンツデータを受信する。当該モバイル端末は、受信したときに、この受信された識別子およびコンテンツデータをメモリーの中に保存すればよい。
【０００９】
受信された識別子および／またはコンテンツデータから、当該方法およびシステムは、１以上の基準に従って、１以上の保存されるデータ項目を選択する。これらの１以上の基準には、受信された識別子、受信されたコンテンツデータ、保存されるデータ項目に関連した１以上の条件、およびモバイル端末のユーザが設定する１以上の条件のうちの、少なくとも一つが含まれる。これらの条件は、カードの形態であってもよく、または当該モバイル端末が前記活性化されたトランスポンダから前記識別子およびコンテンツデータを受信する前に、当該モバイル端末のユーザによって設定されてもよい。
【００１０】
この選択は、モバイル端末に保存される選択アプリケーションによって行われてよい。該選択アプリケーションは、ユーザによって起動されてよく、または選択された情報が承認ためにユーザに与えられる場合には、自動的に起動されてもよい。承認されれば、選択されたデータ項目に基づいて当該サービス要求を発生させればよい。
【００１１】
当該方法およびシステムは、更に、１以上の選択されたデータ項目に基づいてサービス要求を発生させ、該サービス要求をサービスプロバイダに送信してもよい。このサービス要求は、例えば、ショートメッセージサービス（SMS）プッシュ要求、マルチメディアメッセージサービス（MMS）プッシュ要求、または無線アプリケーションプロトコール（WAP）要求であってよい。
【００１２】
本発明の更なる特徴および利点は、以下の説明から明らかになるであろう。
【００１３】
（好ましい実施例の詳細な説明）
以下の実施形態の説明では添付の図面を参照するが、これらはその一部を形成するものであり、また本発明が実施され得る特定の実施形態が例示により示される。本発明の範囲を逸脱することなく構造的および動作的変更がなされ得るので、他の実施形態も利用され得ることが理解されるべきである。
【００１４】
一般的には、本発明は、モバイル端末を介して利用可能な情報およびサービス／アプリケーションを突止めるため、並びに電磁気的／静電的カップリング技術を介して、構成／対応（configuration/provision）情報のような他の情報の受信を容易にするための、装置、システムおよび方法を提供する。一つの実施形態において、この電磁気的／静電的カップリングは、無線周波数識別（RFID）を使用して、電磁気スペクトルの無線周波数部分において実施される。モバイル装置にはRFID読取り器が装備され、モバイル端末によって放出される無線波によって、トランスポンダまたは「タグ」が活性化される。活性化されると、該タグはモバイル端末の読取り器へと情報を送信する。本発明の一実施形態において、タグは、ユーザが所望するコンテンツに対してアドレス、例えば統一資源位置表示子（uniform resource locator；URL）を提供する。
【００１５】
また、そのコンテンツ自身もタグを介して提供されてよい。この方法では、モバイル端末のユーザが、さもなければ斯かる情報を検索するための閲覧または他の手段を必要とする情報を提供するタグの近くに来る場合に、「物理的閲覧」が容易になる。本発明はまた、RFIDタグを介してこの対応および／または構成情報を提供することにより、モバイル端末を設定し、または他の構成情報を提供する便利な方法を提供する。
【００１６】
図１は、本発明によるサービスの発見および開始、即ち「物理的閲覧」の実施形態を示すブロック図である。図示の実施形態において、モバイル端末100は場所から場所へと移動し、動作、アプリケーション、サービス等は、モバイル端末100がトランスポンダの一定距離内に来たときに開始されることができる。更に詳細に言えば、本発明の一つの実施形態は、無線周波数識別（RFID）技術に基づいて、種々のトランスポンダまたは「タグ」を提供することを含んでいる。図１は、多くのこのようなタグ、即ち、RFIDタグ102、104、106、108示している。モバイル端末100があるタグの一定距離内にきたときに、モバイル端末に付属したRFID読取り器110が、それぞれのRFIDタグからの情報を読取るであろう。本発明に従ってRFID読取り器110を装備した、携帯電話112、個人用デジタルアシスタント（PDA）114、ノート型またはラップトップ型コンピュータ116、または118で表示された他のタイプの無線端末のような、如何なる種類の無線／モバイル端末100を使用してもよい。
【００１７】
RFID技術は、電磁気スペクトルの無線周波数（RF）部分における電磁気的または静電的カップリングを利用する。RFID読取り器110は、少なくともアンテナおよびトランシーバ（図１には図示せず）を含んでいる。RF信号がRFID読取り器110から送信され、前記読取り器は、タグ102、104、106、108に接触しまたはその所定距離内にあるときに、これらタグを活性化する。タグが活性化されると、該タグはRFID読取り器へ情報を返信する。更に詳細に言えば、以下で述べる受動タグの場合、当該タグは、RFID読取り器110により発生される経時変化する電磁気RF波によって、エネルギーを供給されてよい。RF磁場が当該タグに付設されたアンテナコイルを通過するときに、該コイルを横切る電圧が発生する。この電圧は、最終的には当該タグに電力を供給するために使用されて、読取り器へのタグの情報送信（時には後方散乱と呼ばれる）を可能にする。
【００１８】
この情報を使用して、RFID読取り器110は、受信した情報から同定された動作を実行するように、モバイル端末100に指令することができる。RFIDは、RFIDタグとの直接接触を生じることができ、または幾つかの場合には該接触が必要とされ得るが、RFIDの一つの利点は、それが直接の接触を必要としないことである。読取り器／タグのリンクの送信範囲は、少なくとも部分的には使用する周波数によって決定されるであろう。タグへのモバイル端末100の接近度は、使用する周波数および出力電力に依存して、極めて短距離（接触または概ね接触）から何メータまでの範囲に亘ることができる。図１に示したRFIDタグのそれぞれは、当該タグについての距離範囲を図示している。例えば、RFIDタグ102の距離範囲120内にモバイル端末がくると、タグ102はRFID読取り器110からの信号を受信して、望ましい情報と共に応答することができる。RFIDタグ104、106、108について、それぞれ他の距離範囲122、124、126が図示されている。
【００１９】
また、本発明の一実施形態には、実質的に送信距離を持たずに、モバイル端末100上の対応する接点に物理的に結合する接点を含み得るタグが含まれることが理解されるべきである。このような実施例は、それ自身がRFIDまたは他のアナログ技術の利点の幾つかを利用することはできないであろうが、本発明との関係においては実施可能である。
【００２０】
本発明との関連においては、如何なる種類のRFIDタブを使用してもよい。例えば、RFIDタグは、能動的タグまたは受動的タグであることができる。能動的タグは内部電池を必要とし、多くは読取り／書込みタグである。受動的タグは専用の電源を必要とせず、読取り器に由来して発生された動作電力を得る。更に、タグは種々の形状およびサイズであってよく、一般には特注設計されたシリコン集積回路に基づいている。本発明との関係においては、如何なるトランスポンダ／タグを使用してもよく、タグの種類、サイズ等は、本発明に従って物理的閲覧が用いられる特定の環境および目的に依存する。
【００２１】
このようなタグは、如何なる数でも、ユーザが物理的に遭遇し得る種々の場所に配置することができる。例えば、斯かるタグは、小売点、ホテル、レストラン、ナイトクラブ、バス停留所、列車の駅、および空港、オフィス、タクシー（taxis）、会議センター等に配置することができる。タグの提供者が情報を提供し、および／またはモバイル端末のユーザがこのような情報を得ることが便利であるような如何なる場所も、本発明によるタグを配置する場所の候補である。例えば、レストランには、当該レストランのメニューを提供するタグを、その正面ドアの外側または入口ドアのフレーム中に埋め込めばよい。或いは、当該タグは、予約および／または現在の待ち時間が得られる当該レストランのサイトへの、統一資源位置表示子（URL）のようなアドレスを提供してもよい。もう一つの例として、ナイトクラブは、タクシーサービス連絡情報のようなタクシーサービス情報を提供し、またはタクシー要請を開始するために、このようなタグを使用してもよい。このようなタグは、ナイトクラブのドアフレーム、テーブル、専用タクシーステーション、またはその中に位置するキオスクの中に取り付けたり、または埋め込むことができる。ナイトクラブは、最良のまたは最も近いタクシーサービスの、１以上のタクシーサービス連絡番号を提供することができる。
【００２２】
また、タグは、例えば地図を提供するポスターの上に配置してもよい。該地図は、周囲の地図、商店街の地図等であることができる。タグとの相互作用に基づいて、地図上のタグ位置に対応したサービスが得られるようにしてもよい。
【００２３】
上記のことから分かるように、このような物理的閲覧の可能性は、実際上は制限がない。このような方法で物理的タグを利用することにより、モバイル端末のユーザは、当該物理的場所に関連する可能性のある一定の情報について、「電子的に」閲覧しなければならない負担から開放される。例えば、実質的に全てのレストランがメニューおよび可能な待ち時間を有しているから、ある人が、物理的に該レストランの近くにいる間に当該情報を知りたいであろうことが予知できる。通り掛かりの人がこの情報を尋ねるためにレストランの中に入ったり、彼／彼女の無線装置を通してこの情報を電子的に閲覧することを必要とするのではなく、レストランの場所、即ち、通行人の現在の場所で、この情報を簡単に提供することができる。
【００２４】
図２Ａは、本発明によるRFIDの物理的閲覧を使用して開始しできる、多くの代表的なサービスの種類を示している。本発明のこの側面の理解を容易にする目的で、それぞれの代表的なサービスの種類は、RFIDタグに関連させて示されている。RFIDタグ200は、第一のサービスタイプ、即ち、ショートメッセージサービス（SMS）を開始させるように描かれている。説明のために、タグ200が受動タグであると仮定すると、モバイル端末204に付随するRFID読取り器202が信号を提供し、RFIDタグ2002が信号を受信したときに、該タグはSMSサービス開始応答206を返信する。以下で更に完全に説明するように、SMSサービス開始要求206に付随する情報は、モバイル端末204上で開始すべきアプリケーション、およびコンテンツを識別するための識別子を含んでいる。モバイル端末204における読取り器アプリケーションは、タグ応答206のコンテンツ部分を、識別子に基づいて、モバイル端末上のもう一つのアプリケーションに供給する。この実施形態においては、SMSアプリケーションが覚醒され、トランシーバ210を介してオペレータネットワーク212に送られるSMSプッシュ要求208で描かれているように、SMSメッセージおよびプレミアムサービスSMS番号がサービスプロバイダに送信されるであろう。
【００２５】
開始できるもう一つの代表的なタイプのサービスは、マルチメディアメッセージサービス（MMS）である。RFIDタグ214は、上記で述べたようにして、MMSサービス開始応答を提供する。モバイル端末204の中の読取り器アプリケーションは、タグ応答216のコンテンツ部分を、タグ214に付随する識別子に基づいてモバイル端末上のアプリケーションに供給する。MMSアプリケーションが覚醒され、例えば、オペレータネットワーク212に送られたMMSプッシュ要求218により、プレミアムMMSを勧誘する。
【００２６】
無線アプリケーションプロトコール（WAP）閲覧、またはモバイル閲覧を容易にする類似のプロトコールは、本発明によって開始できるもう一つの代表的なタイプのサービスである。当該技術において知られているように、WAPは、インターネット標準および無線サービス標準の両方の特徴および機能性を生じさせ、且つインターネットおよび他のネットワークを複数の無線ネットワークプラットホームで一体化させるための、一組のプロトコールである。従って、WAPは、有線インターネットパラダイムと無線ドメインとの間のギャップを埋めて、無線装置のユーザが、両方のプラットホームに亘ってインターネットの利益を享受することを可能にする。WAP閲覧がサービスタイプである実施形態においては、タグ220が、モバイル端末上のWAP閲覧アプリケーションに対して、アドレス（例えばURL 222）を含むコンテンツと共にアプリケーション識別子を提供する。WAP閲覧ソフトを覚醒させると、モバイル端末は、WAP閲覧224を介して特定されたURLに接続するであろう。モバイル端末204は、この特定されたURLに接続するために、予めセットされたWAPゲートウエイアドレスを使用してもよい。
【００２７】
もう一つの代表的なタイプのサービスは、Java（登録商標）ダウンロード（または類似のプログラム技術）である。タグ226は、RFID読取り器202の準備ができたモバイル端末204により与えられた信号に応答して、Java（登録商標）ダウンロード開始応答228を提供する。このRFID読取り器202は、コンテンツ部分をモバイル端末204上のアプリケーションに提供し、最終的には、例えばJava（登録商標）MIDlet要求230のようなJava（登録商標）アプリケーション要求の送信に導く。ここでのMIDletは一般に、規格に適合したモバイル装置上で実行される小Java（登録商標）アプリケーション（例えばアプレット）と呼ばれる。Java（登録商標）アプリケーションがダウンロードされると、それはモバイル端末204で実行することができる。なお、本発明は、他の類似プログラム技術にも等しく適用可能であり、Java（登録商標）は代表的な例として言及されていることが理解されるべきである。従って、本明細書および特許請求の範囲に置いて使用されるとき、Java（登録商標）アプリケーションへの言及は、モバイル端末上で使用できる他の同様のプログラム言語をも含むもんである。
【００２８】
ONS要求は、本発明に従って開始できるサービスのもう一つの例である。RFIDタグ232は、統一商品コード（Universal Product Code；UPC）34、または電子商品コード（EPC）のような類似コード等のコンテンツを提供することができる。タグ232の情報に付随する識別子は、オブジェクト名称サービス（Object Naming Service；ONS）要求236のような、オペレータネットワーク212に対する要求を提供するプログラムを開始することができる。このONSは、そこから情報が与えられるUPCおよび／またはEPCを検索するために、オペレータネットワーク212を介して利用可能なサービスである。従って、このような要求236は、最終的には、要求された情報をモバイル端末に逆に提供するネットワーク212へと導く。
【００２９】
従って、説明した種類のサービスは、オペレータネットワーク212とのある種の通信を含んでいる。しかし、本発明は、最終的なネットワーク接続が含まれない状況にも適用可能である。RFIDタグ238はこのような状況の一つを例示しており、ここでは装置構成240がモバイル端末204に提供される。例えば、これらの構成は、WAP、SMS、MMSなどの初期設定、または他の対応情報であってよい。例えば、RFIDタグ238は、新しい移動体電話と共に、移動体電話の購入者に提供される可能性がある。タグ238は、タグ238がモバイル装置を準備するのに必要とされる盗難防止機構として、移動体電話のパッケージとは別に、購入時にユーザに提供されてよい。或いは、このようなタグは、そのパッケージ自体の内部に設けられてもよく、または該パッケージに組込んでもよい。次いで、RFIDタグ238によって提供される情報を介して、一定の用途のために、モバイル装置を処置または構成することができる。
【００３０】
例えば、タグ238の識別子は、モバイル端末204上の活性化すべきアプリケーションを識別することができ、またタグ238に付随するコンテンツは、設定情報（WAP、SMS、MMS、EMS等の初期情報を含む）を提供することができる。或いは、RFIDタグ238は、ユーザを処置および／または構成サイトに導くURLを提供してもよい。モバイル端末のための他の構成もまた、タグ238によって提供することができる。ある人は、ユーザプロフィール、壁紙、ユーザインターフェース「skins」、FMラジオチャンネル、地上波デジタルビデオ放送（DVB-T）キー等のような、一定のモバイル末端設定を含むRFIDステッカを購入できるであろう。
【００３１】
このRFIDタグ238によって開始される処置／構成サービスは、接触情報に関連したロゴまたはアイコンをダウンロードすることを含んでもよい。携帯端末204のユーザは、これらのアイコンおよび付随する情報を、彼のモバイル装置に保存すればよい。この保存されたデータは、当該サービスをパーソナライズするために、彼のプロファイル／状況データによって修飾されてもよい。RFIDタグによって初期化され得る１以上のアプリケーションは、当該モバイル装置のディスプレー上のアイコンとして、ユーザに提示することができる。RFIDタグが読取られるときに、対応するパーソナライズされたサービスがアイコンとしてユーザに提示され、次いで、ユーザは当該サービスを要求すすることができる。プロファイル／状況データによって設定された条件が完全に満たされないときは、当該アイコンは除去されてよい。
【００３２】
更に、タグ242を同様に使用して、独立型コンテンツ244をモバイル端末204に提供することができる。このコンテンツは、例えば、テキスト、画像、ビジネスカード等である。一つの実施形態においては、以下で更に詳細に説明するように、該コンテンツはスマートメッセージインターフェースを介してRFID読取り器202に提供される。
【００３３】
図２Ｂは、RFIDの物理的閲覧を使用して開始され得る代表的な種類のサービスの、更なる例を示している。図２Ａにおけると同様に、各代表的なサービスタイプは、異なるRFIDタグに関連するものとして示されている。
【００３４】
図２Ｂに示すように、音声呼出しは、開始され得るタイプのサービスである。例えば、モバイル端末204から信号を受信すると、RFIDタグ250は音声呼び出し開始応答270を開始する。音声呼出し開始応答270に付随した情報には、モバイル端末204上で開始するアプリケーションを識別するための識別子、およびコンテンツが含まれている。モバイル端末204における読取りアプリケーションは、タグ応答270のコンテンツ部分を、もう一つのアプリケーションに供給する。この実施形態では、電話アプリケーションが覚醒され、トランシーバ210を介してオペレータネットワーク212に送られる音声呼出し発生メッセージ272によって描かれた、音声呼出し開始メッセージがサービスプロバイダに送信されるであろう。
【００３５】
更に、RFIDの物理的閲覧が、書式呼出し配置（placement of rich call）を開始させてもよい。当該技術で知られているように、書式呼出しは、音声、ビデオおよびモバイルメッセージのような異なる媒体およびサービスを、一つの呼出しセッションに合体させる。インターネットプロトコール（IP）技術のような種々の通信技術を使用して、書式呼出し能力を提供してもよい。従って、図２Ｂは、書式呼出しサービス開始応答274を,モバイル端末204に提供するRFIDタグ252を示している。
【００３６】
このサービス開始応答を受信すると、モバイル端末204の中の読取り器アプリケーションは、タグ252に関連した識別子に基づいて、タグ応答274のコンテンツ部分をモバイル端末上のアプリケーションに供給する。書式呼出しアプリケーションが呼び出され、書式呼出し発生メッセージがサービスプロバイダに送信されるであろう。この要求は、書式呼出し発生メッセージ276として図２Ｂに示されており、これはオペレータネットワーク212に送信される。
【００３７】
図２Ｂはまた、RFIDタグが、メッセージをモバイル端末204に送信してもよいことを示している。例えば、RFIDタグ254は、メッセージ応答278をモバイル端末204に供給する。このメッセージ応答278は、メッセージ（例えばSMSメッセージ）としてフォーマットされたデータを含んだコンテンツ部分を含んでいる。モバイル端末204における読取り器アプリケーションは、タグ応答278のコンテンツ部分を、当該応答における識別子に基づいて、モバイル端末上のアプリケーションに供給する。モバイル端末204に存在するアプリケーションは、当該端末のユーザがSMSメッセージを受信しているものとしてデータを処理すればよい。また、他の標準化されたメッセージフォーマットを使用してもよい。
【００３８】
RFIDタグは、モバイル端末204によるメッセージの送信を開始させるために、不完全なメッセージを供給するかもしれない。例えば、RFIDタグ256は、モバイル端末204にメッセージ開始応答280を配信する。この応答280は、ブランクと共に、メッセージを含むコンテンツ部分を含んでいる。該メッセージは、SMSメッセージフォーマットのような種々のフォーマットのものであってよい。この送信を受信すると、モバイル端末204の中の読取り器アプリケーションは、タグ応答280のコンテンツ部分を、該応答における識別子に基づいて、モバイル端末上のアプリケーションに供給する。このアプリケーションは、そのメモリーに保存されたデータを用いてこれらブランクを埋める。これらのブランクが埋められた後に、モバイル端末204は、パーソナライズされたメッセージ伝達に使用するために、オペレータネットワーク212を介して、メッセージ282（例えばSMSメッセージ）をサービスプロバイダに送信する。
【００３９】
モバイル端末204は、そのメモリーの中に、このようなブランクを埋めるために使用されるデータ（「データ項目」とも称する）を保存してもよい。このデータは種々の形態であってよい。例えば、このデータは、XMLまたはHTMLのような記述言語に従ってフォーマットされてもよい。
【００４０】
その代りに、またはそれに加えて、このようなデータは、プロファイルカードまたはコンテクストカードとして保存されてもよい。モバイル端末204のユーザは、RFIDタグによってアプリケーションが開始されるとき、またはそれに先だって、これらカードの１以上を選択および活性化してよい。
【００４１】
カードは、2002年6月17日に出願された「個人情報を保存およびアクセスするための方法および装置」と題する同時係属の米国特許出願第10/174,405号において、詳細に述べられている。この出願の内容は、本明細書の一部として援用される。
【００４２】
当該出願において説明されているように、ユーザは種々のユーザデータを選択して、「ロイヤルティー」カード（例えば顧客関連管理カード）および「支払い」カード（例えばクレジットカード）を含む種々のカードを作製および保存してよい。また、ユーザによって作製および保存されたカードは、特定のイベントまたはサービス（例えば、特定の本屋または本屋チェーン）に特異的な、または特定の種類のサービスまたはイベント（例えば、一般的に本屋）についての包括的な「サービスカード」を含んでいてもよい。
【００４３】
加えて、該カードは、特定の状況（例えば、通話中、仕事中、自由時間ありなど）において、ユーザがサービスもしくはビジネスに対する彼の見通しを定義し、従って、彼が当該状況にあるときに、情報を受信する状態にあるサービスまたはビジネスを特定するために作製および使用できる「状況」カードを含んでいてもよい。更に、これらのカードは、例えば、一定の種類のコンテンツについてのユーザの優先度を定義する「プロファイル」カードを含んでいてよい。
【００４４】
このような不完全なメッセージにおけるブランクは、それぞれがカード「テンプレート」を含んでいてよく、該カードは種々の属性（たとえば名前）および特定のデータについての対応するフィールドを特定する。選択アプリケーションを通して、携帯端末204は自動的に、またはユーザインタラクションにより、要求されたデータをカードからテンプレートの適切なフィールドへと選択およびコピーし、次いで該カードを、サービス要求メッセージにおけるサービスプロバイダに送信し、或いは、それを将来の使用のために保存する。
【００４５】
このカードは、それに関連した空間的または時間的トリガーと共に保存してもよい。従って、保存されたカードの選択は手動で行われてもよく、あるいは、ユーザの現在位置または現在の日付／時間に基づいて、「示唆された」用途について形態端末204により選択されたカードとして、自動的に行われてもよい。
【００４６】
以上述べたことから明らかなように、携帯端末204のユーザ204は、例えば、複数の異なるロイヤルティープログラム、即ち、支払い方法、サービス、コンテンツ、およびプロファイルに対応するこのような複数のカードを保存すればよい。こうして、ユーザはまた、要求された情報を、メモリーに保存されたカードに存在する同じ属性に対応したフィールドから選択し、コピーしてもよい。ユーザデータの選択がユーザの制御下にあるときには、ユーザの完全な本人確認データがサービスプロバイダに開示されないように、データを選択することができる。
【００４７】
オーディオデータのようなメディアコンテンツもまた、RFIDタグによって配信されてよい。例えば、図２Ｂは、オーディオ開始応答284をモバイル端末204に配信するRFIDタグ258を示している。この要求は、オーディオ（例えば音声）データを含むコンテンツ部分を含んでいる。モバイル端末204の読取り器アプリケーションは、タグ応答284のコンテンツ部分を、該応答の識別子に基づいて、モバイル端末上のアプリケーションに供給する。このアプリケーションは、例えば、オーディオデータをデコードし、それをユーザに出力するメディアプレーヤアプリケーションであってよい。
【００４８】
図２Ａおよび図２Ｂには示されていないが、他のRFIDタグは、本発明の原理に従って他のサービスタイプに関連付けられて、異なるタイプのコンテンツを提供することができる。例えば、RFIDタグは、ATコマンドストリング、警告SMSメッセージ、または何等かの同様の標準化されたデータ構造を含むコンテンツを配信してもよい。
【００４９】
更に、RFIDタグは、モバイル端末204がオペレータネットワーク212に転送する他の要求を開始してもよい。HTMLコンテンツについてのこのような要求の例は、インスタントメッセージ要求であり、これはインスタントメッセージ環境（例えばチャットルーム）に参加できるユーザ端末において生じる。
【００５０】
図３は、本発明の物理的閲覧原理を組込んだ、モバイル端末インプレメンテーションの一実施形態を示すブロック図である。このモバイル端末にはRFID読取り器300が装備されており、これは少なくとも受信器を含んでいる。それは、１以上のタグを活性化するために信号を送信した後、タグから識別子およびコンタクト情報を受信する。読取り器300は、識別子301およびコンテンツ302をRFID読取り器アプリケーション304に転送する。識別子301は、適切なアプリケーションを見付けて開始させるために使用され、またコンテンツ302は、この見付けられたアプリケーションによって使用される。例えば、RFID読取り器アプリケーション304は、SMSアプリケーション306を指定する識別子301を使用して、SMSアプリケーション306を開始することができる。次いで、コンテンツ302は、例えばSMSメッセージおよびSMSサービス番号がオペレータネットワークに送信されるように適切な方法で使用されるために、SMSアプリケーション306に提供されることができる。
【００５１】
読取り器アプリケーション304は、広範な異なる種類のアプリケーションを開始させることができる。SMSアプリケーション306以外のアプリケーションには、MMSアプリケーション308、WAPブラウザ310、Java（登録商標）ダウンロードアプリケーション312、ONS問合せアプリケーション314、装置構成アプリケーション316、スマートメッセージインターフェース318、および関連のビューアーアプリケーション320等が含まれる。識別子308によって同定されたMMSアプリケーション308は、プレミアムMMSを、モバイル端末に提供されるように誘導することができる。これを行う一つの方法は、SMSメッセージを介してMMSをモバイル端末に知らせ、WAPブラウザを介してモバイル端末にMMSコンテンツを読取らせることである。これは、WAPブラウザ310を覚醒させ、次いで該ブラウザが特定のURLにおいてWAPセッションを開始させるであろう。WAPブラウザ310はまた、識別子301がWAPブラウザ310を特定する場所でも開始され、URLのようなコンテンツ302をWAPブラウザに提供して、該URLにおいてWAPセッションを開始させるであろう。
【００５２】
Java（登録商標）ダウンロードアプリケーション312は、適切な識別子301によって開始されることができ、これはJava（登録商標）ダウンロードを開始させるであろう。多くの異なる種類の情報を、コンテンツ302としてRFIDタグに保存することができる。更に詳細に言えば、Java（登録商標）プログラムは典型的には三つの部分を含んでおり、これには、（１）プログラムの実行可能なバイトコードであるクラスファイル；（２）クラスの動的状態（即ち、シリアル化された状態）；（３）例えば、Java（登録商標）プログラムが実行される方法等を既述する、拡張記述言語（XML）ファイルのような配置記述子が含まれる。典型的なJava（登録商標）プログラム配置においては、Java（登録商標）アーカイブ（JAR）ファイルが分配され、これはクラスファイルおよび配置記述子を含んでいる。MIDletについては、該JARファイルを伴った別の配置記述子ファイルが存在する。クラスファイル、動的クラス状態、および配置記述子は、異なる組合せでRFIDタグに保存することができる。
【００５３】
第一の例として、シリアル化された情報を、実際のバイトコードが検索され得るURLと共にタグの中に含めてよい。URLが固定されるならば、要求される実行可能なバイトコードをダウンロードするJava（登録商標）仮想マシンクラスローダと共に、ユニークな識別子としてのクラス名を用いて同じことを行うことができる。もう一つの例として、配置記述子のJava（登録商標）ウエッブスタートラウンチファイル（Java（登録商標） Webstart launch file）であるJava（登録商標）ネットワークラウンチングプロトコール（Java（登録商標） Network Launching Protocol；JNLP）ファイルを、タグ上に保存することができる。JNLPファイルは、プログラムの記述と、そこからクラスファイルをダウンロードできるURLとを含んでいる。異なるRFIDタグから同じプログラムが再度開始される場合には、モバイル端末は、当該クラスファイルをキャッシュすることができる。もう一つの例は、バイトコードおよび配置記述を、可能な場合にはスペースを節約するために圧縮されたフォーマットで、タグ上に置くことである。更にもう一つの例は、コードおよびシリアル化された情報をタグに含めることである。これは、モバイル端末ユーザ間でのMIDletの共有を容易にすることができるであろう。
【００５４】
Java（登録商標）ダウンロードアプリケーション312を使用する更に特別なアプリケーションは、MIDlet、或いはここでは「スニップレット（sniplets）」と称する制限されたバージョンを、一つのモバイル装置からもう一つのモバイル装置へと自由に転送させることである。このスニップレットは、それ自身が多くの価値を提供してもしなくてもよいが、他のサービスを可能にするために使用することができる。例えば、レストランは、店の名前、住所およびレストランのメニューを含んだ、小さいスニップレットを配信するRFIDタグを有することができるであろう。そのレストランが人気のあるレストランであれば、人々はこれを他人に配信するために、該スニップレットの保存および持運びを開始するかもしれない。
【００５５】
このようなMIDlet／スニップレットは、クラスコードおよびシリアル化された情報の一方または両方を含むことができる。シリアル化されたデータはクラス名を含んでおり、これは受信装置が必要なデータをネットワークからダウンロードすることを可能にするユニークな識別子である。例えば、レストランのスニップレットは以下の通りであってよい。
【００５６】
public class RestaurantSniplet extends com. nokia. sniplet.GenericSniplet 
｛
String restaurantName ; 
String restaurantAddress ; 
String restaurantURL; 
String menu; 
public byte[] serialize() ; 
public void unserialize(byte[] data) ; 
} 
【００５７】
レストランRFIDタグは、下記のようなシリアル化されたフォーマットの情報を含むことができる。
2006505178.tif 000003
【００５８】
モバイル端末がこのシリアル化されたデータを受信すると、該端末は、それが既に「com.nokia.sniplet.RestaurantSniplet」と呼ばれるクラスをメモリーの中に有しているかどうかをチェックするであろう。もしそれを有していれば、それは当該クラスおよびデータを新たな事例の中に結合することができる。このような場合には、より少ないデータしか存在せず、従ってバンド幅が節約される。例えば、100件のレストランに関連する情報が保存するとすれば、ダイナミックデータは100回保存されるであろうが、当該コードは、メモリーに１回だけしか保存される必要がないであろう。コードを１回だけ保存することは、必要な保存における顕著な低減をもたらす。
【００５９】
図３に戻ると、識別子301はまた、ONS問合せアプリケーション314を指定してもよく、その場合、当該コンテンツ302は１以上のUPCまたはEPCを含むであろう。この場合、モバイル端末は、例えば、予め定められたWAPゲートウエイアドレスを使用してブローカーサイトに接続し、そこではUPC／EPCが、WAPサーバから情報を得るために使用できるURLへと変換される。次いで、検索されたURLは、WAPブラウザのようなブラウザを介して使用することができる。識別子301はまた、装置構成アプリケーション316を指定してもよく、該アプリケーションは、WAP／SEM／MMS設定、プロファイル、壁紙、ユーザインターフェーススキン等のような設定を構成するであろう。コンテンツ302は、この新たな構成に対応するデータを提供するであろう。
【００６０】
先に説明したように、RFIDタグを使用して、構成データおよび／または他の独立型コンテンツを、RFID読取り器300を介してモバイル端末に提供してもよい。識別子301は適切なアプリケーションを識別し、該アプリケーションは、RFID読取り器アプリケーション304の補助を受けて覚醒されるであろう。一つの実施形態において、識別子301は、覚醒されるべきスマートインターフェース318を指定し、またコンテンツ302は、スマートメッセージインターフェースを伴うことができる何等かの種類のコンテンツを含んでいる。当該技術において知られているように、「スマートメッセージ伝達」は、SMSのようなオーバーザエア（OTA）メッセージサービス上で、コンテンツを送信および受信するための概念である。スマートメッセージ伝達プロトコールを使用して、ビジネスカード（例えばｖカード）、ベルの音、ロゴ、絵メッセージ、Java（登録商標）MIDlet、カレンダー登録、ネットワークアクセス設定などのようなコンテンツは、OTAで送信することができる。スマートメッセージ伝達は、それ自身の接頭語およびコードを有する本質的に特別な種類のテキストメッセージであり、これはモバイル端末が、該メッセージを、モバイル端末ユーザに向けられたテキストメッセージとしてではなく、関数メッセージとして認識することを可能にする。
【００６１】
スマートメッセージインターフェース318は、スマートメッセージ伝達プロトコールに従って提供されたRFIDタグ情報の、適正な受信を容易にする。該タグは、スマートメッセージコンテンツ302（またはEMSコンテンツのような他のコンテンツ）を含んでいる。適正に受信されると、モバイル端末は、１以上のスマートメッセージ閲覧アプリケーション320の助けを借りて、該コンテンツをローカルディスプレーに表示することができる。加えて、モバイル端末のユーザは、任意に、当該コンテンツを編集および／またはそれを他のユーザに転送することを選択できる。スマートメッセージ伝達を使用して、コンテンツ302をモバイル端末に提供することは、全てのモバイル端末ユーザが物理的ツール（例えばデジタルカメラ）を装備しているわけではなく、また画像メッセージを作成するために必要な技術を持っているわけではないが、彼等は戦略的に配置されたタグからそれらを得ることができるので有利である。例えば、旅行者アトラクションでのRFIDタグは、スマートメッセージ伝達（または他の）プロトコールを使用して、当該場所に関連した画像をRFID読取り器300に提供することができ、それによって即座に、訪問されたバケーションサイトの画像を旅行者に提供することができる。もう一つの例として、ビジネスマン幹部は、彼／彼女のオフィスまたはその近くに、スマートメッセージ伝達（または他の）プロトコールを使用して、訪問者のモバイル端末に即座に送信できるｖカードを含んだRFIDタグを有することができる。広範囲の他の応用も同様に存在するので、上記の例は単に代表的な例として挙げたに過ぎない。
【００６２】
図３に示したように、モバイル端末インプレメンテーションは更に、メディアプレーヤアプリケーション322を含んでいる。このアプリケーションは、オーディオおよび映像のようなメディアコンテンツのデコード化および出力を提供する。
【００６３】
選択アプリケーション324は、それぞれのアプリケーション306〜322によって用いられてよい。選択アプリケーションは、サービス要求に含めるべきデータ項目を選択する。データ項目の選択に関する詳細については、図８を参照して後述する。
【００６４】
図４は、SMS、EMSおよびMMSを含むメッセージサービスのRFIDに基づくサービス開始についての、システムレベルでのインプレメンテーションの実施形態を示す図である。これらの種類のサービスは、モバイル端末がRFIDタグと通信し、該タグのコンテンツを入手した後での、オペレータネットワークとの通信を含んでいる。図２Ａおよび図２Ｂに関連して説明したように、RFIDタグ400は、該タグ400の一定の近傍内に来たモバイル端末402に対して、SMS、MMSなどのサービス開始応答を提供してもよい。このタグ情報は、その読取り器を介してモバイル端末402の中に読取られ、読取り器アプリケーションは、タグ400によって与えられる識別子に基づいて、SMS、MMS等の適切なアプリケーションを覚醒させる。次いで、このSMS／MMSアプリケーションは、SMS／MMS送信勧誘に対応するメッセージを受信するために、オペレータネットワークと通信することを必要とするであろう。
【００６５】
ここで述べるSMS／MMS実施形態は、如何なる数のネットワークシステムにおいても適用可能である。限定ではなく説明の目的のために、図４は、一般的パケットラジオシステム（General Packet Radio System；GPRS）モバイル通信ネットワークに関して説明される。GPRSは、インターネットモデルを反映し、3G（第三世代）ネットワークに向けた継ぎ目のない移行を可能にする、モバイル通信のためのグローバルシステム（GSM）用パケット切替えサービスである。従って、GPRSは、モバイルGSMおよび時間分割多重アクセス（TDMA）ユーザのための実際のパケット無線アクセスを提供し、無線アプリケーション（WAP）サービスのために理想的なものである。図４および図５の実施形態は、GPRSのデジタル技術の基礎をなすGPRSおよびGSMに関して一般的に説明しているが、GSMおよびGPRSへの特定の言及は、本発明の理解を容易にするために提供されていることを理解すべきである。ここに提供された説明から当業者には容易に明らかなように、本発明は、他の回路切替えおよびパケット切替え技術、3G技術等を含む他の技術にも等しく適用可能である。
【００６６】
図４を参照すると、モバイル端末402は、エアインターフェースを介して、ベーストランシーバステーション（BTS）404と通信する。BTS 404は、無線ネットワークアクセス基盤施設の一つの構成要素であり、これは、その上を加入者トラフィックがモバイル端末404との間で交信するエアインターフェースを終端させる。ベースステーションコントローラ（BSC）406は、なかでも、受渡し機能を提供し且つ各BTS 404における出力レベルを制御するスイッチモジュールである。該BSC 406は、GSM無線ネットワーク408において、モバイル切替えセンター（MSC；図示せず）とBTS 404との間のインターフェースを制御し、従って呼出し設定機能、信号通信、および無線チャンネルの使用において１以上のBTSを制御する。BSC 406はまた、GPRSにおいて、サーバGPRS支援ノード（SGSN）410とBTS 404との間のインターフェースを制御する。
【００６７】
サーバGPRS支援ノード（SGSN）410は、ベースステーションサブシステム（BSS）を介して、更に特定すればGSMシステムの関係ではBSC 406を介して、パケットを送信または受信することによりGPRSモバイルに貢献する。SGSN 410は、そのサービスエリア内において、モバイル端末402との間でデータパケットを配信する役割を担っており、パケットのルーティングおよび転送、モビリティ管理、論理リンク管理、認証、支払いの機能などを行う。図４に示したGPRSの実施形態においては、SGSN 410の位置登録器が、現在の形態電話および端末402に付随した訪問場所登録器（VLR）のような位置情報、並びにこのSGSN 410に登録された全GPRSユーザのインターネットモバイル加入者識別番号（IMSI）等のユーザプロファイルを保存する。
【００６８】
SGSN 410はまた、信号通信システム7（SS7）ネットワーク414に接続してよく、これは公共切替え電話ネットワーク（PSTN）上のシステムであり、PSTNの呼出し樹立、請求、ルーティングおよび情報交換機能の支援を得て、帯域外信号通信を行う。このSS7ネットワーク414は、ブロック416に纏めて示された認証センター（AuC）、ホーム位置登録器（HLR）、装備アイデンティティー登録器（Equipment Identity Register；EIR）等のようなネットワーク要素と通信する。ネットワーク408は、当局がGPRSモバイルデータ呼出しの傍受を許可する合法的傍受ゲートウエイ（LIG）、および課金および請求システム422のような種々のオペレーション支援システム（OSS）を備えた中間段階として働く課金ゲートウエイ（CG）等の、他のネットワーク要素を含んでもよい。
【００６９】
SGSN 410は、最終的には、現在説明している実施形態に関するショートメッセージサービスセンター（SMSC）423および／またはマルチメディアメッセージサービスセンター（MMSC）424に接続される。GSMは基本技術を形成するのに対して、上記で述べたSGSN 410は、GPRS技術を通して導入されるネットワーク要素である。GPRS状況に導入されるもう一つのネットワーク要素は、ゲートウエイGPRS支援ノード（GGSN）426であり、これはGPRSネットワーク412とパケット切替え公共データネットワーク（例えばネットワーク428）との間のゲートウエイとして働く。このゲートウエイ426は、モバイル加入者が、公共データネットワーク428または特定のプライベートIPネットワークにアクセスすることを可能にする。GGSN 426と公共データネットワーク428との間の接続は、一般に、インターネットプロトコール（IP）のような標準のプロトコールを通して可能とされ、更に、WAPゲートウエイ430を通して結合されてもよい。
【００７０】
代表的なネットワーク環境として記載した上記のネットワークシステムを用いて、今度はSMS／MMS物理的閲覧の実施形態を説明する。RFIDタグ400によって提供されるコンテンツ部分は、モバイル端末402に読取られ、次いで、これはSMSメッセージおよびプレミアムSMS番号をサービスプロバイダに送信するMMSまたはSMSアプリケーションを覚醒させる。SMSメッセージを勧誘する場合、SMSは、最終的にはSMSC 423によってモバイル端末402へと配信される。MMSメッセージを勧誘する場合は、SMSメッセージはMMSメッセージをユーザに知らせればよく、該メッセージは、WAPブラウザのようなブラウザを介してモバイル端末402で読取ることができる。何れの場合にも、SMSC 423またはMMSC 424を介して受信されたメッセージのコンテンツは、広告宣伝、娯楽、チケット情報等を含むことができる。
【００７１】
RFIDタグ400が、標的アプリケーションとしてWAPブラウザを識別し、コンテンツとしてURLを提供する場合、モバイル端末402はWAPブラウザを開始して、該URLをネットワークに送信するであろう。一つの実施形態において、モバイル端末402は、WAPサーバ432において特定されたUELに接続するWAPゲートウエイ430のための、予め設定されたWAPゲートウエイアドレスを含んでよい。RFIDタグ400はまた、幾つかの実施形態では、WAPゲートウエイアドレスを提供できるであろう。
【００７２】
RFIDタグ400が、ONS要求を発生するアプリケーションを識別子し、コンテンツとしてUPCまたはEPCを提供する場合、モバイル端末402は、ネットワークに対してこのような要求を発するであろう。一つの実施形態において、モバイル端末402が、WAPゲートウエイ430の予め設定されたWAPPゲートウエイアドレスを含んでもよく、或いはRFIDタグ400が、WAPゲートウエイアドレスを提供してもよい。モバイル端末402は、このアドレスを使用して、タグ400のコンテンツを提供し得る第一のURLにより識別されるブローカーサイト434に接続し、そこでは、サービスの購読契約または他の予め定められたパラメータに基づいて、UPC／EPCが第二のURLに変換される。次いで、該第二のURLを使用して、WAPサーバ432から当該情報が得られる。
【００７３】
識別子およびコンテンツがモバイル端末読取り器に提供される方法は、本発明に従って変更されてもよい。例えば、独立型コンテンツを提供するRFIDに関連して上記で述べたスマートメッセージ伝達プロトコール、または狭帯域ソケット（Narrow Band Socket；NBS）プロトコールのような、現存する他の種類のプロトコールを使用してもよい。従って、タグデータは、拡張NBSフォーマットで提供されることができ、この場合、標準NBSNBSフィールドに加えて、サービスのタイプ（例えばSMS、MMS、WAPなど）、料金表クラス（無料、料金ベース等）、RFIDコンテンツ長さ、並びに当該コンテンツ自身のような、本発明に関連した他の情報が提供されてもよい。図５は、タグ情報ブロック500の一例における一般的な図を示しており、該ブロックは、必要な情報をRFIDタグからモバイル端末読取り器に提供するために、図示のように、または他の既知のフォーマットもしくはプロトコールに関連した原理として実現されてよい。
【００７４】
図５の実施形態において、情報ブロック500は、モバイル端末上の開始すべきアプリケーションを識別するために使用される識別子502を含んでいる。図示の実施形態においては、識別子（ID番号）のために２バイトの情報が確保される。一つの実施形態は、コンテンツの種類504を提供することを含んでおり、これはRFIDタグを介して提供されるコンテンツの種類を定義している。例えば、このコンテンツの種類には、SMS、MMS、WAP閲覧で使用するためのURL、Java（登録商標）プログラムダウンロード要求、および／またはJava（登録商標）プログラム（例えばMIDlets）、UPC／EPC、スマートメッセージなどが含まれてよい。これら及び他のコンテンツの種類は、コンテンツ種類フィールド504を介して同定することができる。
【００７５】
サービス要求に料金が付随する場合、RFID情報ブロック500は、料金表情報506を含んでいてよい。例えば、00Hは、関連の費用が課されないことを表してよい。料金表クラスの残りの可能な項目（未定義）は、サービスオペレータによって設定されるべきものであり、この場合の実際の費用は、RFIDタグ上に視覚的に印刷されてもよい。実際の費用はRFIDタグに保存される必要はなく、この料金表クラスに保存される。RFIDタグ内に料金表情報506を提供することにより、ユーザは選択的に、彼／彼女のモバイル端末を無料ベースのサービスが使用されないモードにすることができる。また、モバイル端末を従業員に供与する会社は、これが非常に有益であることを見出すかもしれない。これはまた、支払いに同意する限度費用（例えば、上限１ユーロ）を選択するオプションを、ユーザに提供する。この方法では、料金を明示しているRFIDタグは、それが予め定められた限度の範囲内であるか、または範囲外であるかを、モバイル端末において自動的に識別されることができる。この料金情報は、モバイル端末のディスプレーを介して、最終的にはユーザに表示される。このような限度は、タグ情報500を用いて提供される費用以外の情報、例えばコンテンツの種類自身に基づくものであってもよい。例えば、ユーザがメモリーを多く使うコンテンツを保存したいと思わない場合、モバイル端末は、一定のグラフィックまたは画像を拒否することができる。また、ユーザが一定の限度または閾値を設定することを可能にする図５に示されていない他のパラメータが、RFIDタグを介して提供されてもよい。
【００７６】
タグ情報ブロック500はまた、コンテンツ長さフィールド508を含んでいてもよく、これはタグ情報のコンテンツ部分510の長さを示す。タグ情報500におけるコンテンツとして含めることができる代表的な種類のコンテンツについては、先に既に説明した。例えば、コンテンツフィールド510は、SMSまたはMMSメッセージのようなメッセージとしてフォーマットされたデータを含んでもよい。
【００７７】
任意の証明フィールド512が設けられてもよく、これは一つのオクテットとして示されているが、所望の如何なる長さであってもよい。このフィールド512は、例えば、サービスプロバイダの信憑性を保証するための電子署名を提供するために使用されてよく、ユーザは、そこから公開キーロケーションにアクセスして、公開キー基盤（Public Key Infrastructure；PKI）ポリシーに基づいて書名を確認してもよい。また、周期的冗長性チェック（Cyclic Redundancy Check；CRC）フィールド514のようなチェックサムフィールドを、タグ情報500に設けてもよい。このCRC情報は、タグ情報500の読み取りに関してエラーが生じたかどうかを判断するために使用してよい。本発明は如何なる数の異なるタグコンテンツの種類、フォーマット、フィールド等も考慮しているので、他のおよび／または異なる情報が提供されてよい。
【００７８】
例えば、RFIDタグは、アプリケーション識別子の代りに、またはこれに加えて、場所識別子をモバイル端末読取り器に提供してもよい。タグプロバイダは、彼の域内において、或る場所へのタグIDのリストまたは地図を有することができる。形態端末は、サービス要求において、これらの場所識別子を一緒にサービスプロバイダに送ることができる。サービスプロバイダがタグの場所識別子を含む要求、メッセージまたは呼出しを受信すれば、サービスプロバイダはユーザが一定の場所にいることが分かる。
【００７９】
タグのIDは、各サービスプロバイダが彼の領域に配置し得る一組のユニークに番号付けされたタグを有するように、グローバルにユニークなものであってよい。従って、ユニークな番号は、メディアアクセス制御（MAC）アドレスのようなアドレスと考えることができる。この場合、タグのIDではなくタグのコンテンツが、そのタグの応答が開始するアプリケーションに関する情報を伝達するであろう。或いは、場所表示子は、タグコンテンツフィールド510の中に保存されてもよい。
【００８０】
更に、タグのコンテンツデータは、XMLまたはハイパーテキスト記述言語（HTML）のような記述言語に従ってフォーマットされてもよい。このようなコンテンツデータは、圧縮されても圧縮されなくてもよい。
【００８１】
図６は、上記で説明したRFID識別子およびコンテンツが、モバイル端末読取り器および読取り器アプリケーションにより使用されて、特定のアプリケーションを読出し、対応する動作を開始する方法の例を示すブロック図である。モバイル端末600は、RFIDタグ604からの情報を受信するRFID読取り器602を含んでいる。先に説明したように、RFIDタグ604は、能動タグであっても受動タグであってもよい。受動タグ604を想定すると、モバイル端末600は、モバイル端末600がタグ604の一定距離内にあるときに、タグ604によって認識される信号を開始させるであろう。タグ604は、少なくともアプリケーション識別子（ID）606Aと、或る形態のコンテンツ608Aとで応答するであろう。RFID読取り器602は、例えば受信器またはトランシーバを介して、アプリケーションID 606Aおよびコンテンツ608Aを受信する。読取り器アプリケーション610は、読取り器602からアプリケーションIDおよびコンテンツを受信し、一つ（または二つ以上）の複数の潜在的アプリケーション612を覚醒させる。モバイル端末には、一つのアプリケーションだけしか常駐していない可能性もある。アプリケーションID 606Bを使用して、SMSアプリケーション612Aのような適切なアプリケーション612を覚醒させることができる。付随するコンテンツ608Bもまた、アプリケーション612Aによる使用のために提供される。正しいアプリケーション612が覚醒され得るように、各アプリケーション612は、アプリケーションID 606Bを使用してユニークに識別される。図６に関連して使用される「コンテンツ」は、図５に関連して説明したように、料金情報614のような他の情報を含んでいてもよい。
【００８２】
もう一つの実施形態でが、提供されるコンテンツが構成データの形態で提供される。RFID読取り器602は、アプリケーションID 606Aおよび構成データ616を受信し、この情報を読取り器アプリケーション610に与える。今度は、読取り器アプリケーションがアプリケーションID 606Cおよびコンテンツ／構成データ698Cを使用して、適切な構成アプリケーション612Bを覚醒させる。ここでも、アプリケーションID 608Cは、モバイル端末600に常駐するか、或いはモバイル端末600にアクセス可能な適切なアプリケーションをユニークに同定する。
【００８３】
図７は、本発明に従い、モバイル端末による物理的閲覧を介して情報を突止めるための方法の一例を示すフロー図である。700では１以上のタグが提供され、ここでの各タグは識別子および関連のコンテンツを含んでいる。これらのタグは、モバイル端末ユーザにアクセス可能な種々の位置に設けることができる。ユーザが彼／彼女のモバイル端末と共に物理的に動き回るときに、該モバイル端末は、信号の範囲内にあるタグによって認識される信号を、連続的または周期的に、手動でもしくは自動的に指定された回数だけ送信することができる。決定ブロック704で判断されたとき、特定のタグがこの範囲内に存在すれば、706で該タグは活性化され、708ではこの活性化されたタグによって、少なくとも当該アプリケーション識別子およびコンテンツが送信される。
【００８４】
モバイル端末の送信範囲およびタグの後方散乱範囲は、必ずしも同じではないので、710において、当該モバイル端末がタグの後方散乱範囲内にあるかどうかが判断される。もしその範囲内になければ、当該後方散乱範囲がモバイル端末の範囲よりも小さい可能性があり、或いはユーザが範囲外に出てしまった可能性もある。決定ブロック712で判断したときに、タグがもはやモバイル端末の範囲内になければ、これは、ユーザがタグから遠くへ移動してしまったこと、およびプロセスがブロック702に戻ることを示すであろう。タグが未だモバイル端末の範囲内にあれば、モバイル端末が前記後方散乱範囲内に来るまで、当該識別子およびコンテンツが活性化されたタグによって送信される。714においてモバイル端末がタグ情報を受信すると、716において、同定されたローカルアプリケーションが覚醒される。このアプリケーションは、タグの識別子を介して同定される。或いは、タグの識別子がその場所を示すときは、当該アプリケーションは、該タグによって提供されるコンテンツを介して同定される。該アプリケーションは、718において、ここでの説明において先に記載したようにして、当該タグによって与えられるコンテンツの少なくとも一部を使用して実行される。
【００８５】
上記で述べたように、RFIDタグとの遭遇を通して、モバイル端末は識別子およびコンテンツデータのような情報を受信する。この受信された情報から、当該モバイル端末は、サービスプロバイダに送信されるサービス要求を発生させてよい。
【００８６】
例えば、図２Ａおよび図２Ｂを参照して説明したように、モバイル端末はSMSプッシュ要求、MMSプッシュ要求、WAP要求、およびJava（登録商標）コンテンツ要求を発生させてよい。このようなメッセージは、タグ起源の応答のコンテンツデータフィールドに含まれる不完全なメッセージに基づくものであってよい。不完全なメッセージを受信すると、モバイル端末は、該メッセージに挿入するためのカード（類）のような保存されたデータ項目を選択することによって、該メッセージを「完成」する。或いは、モバイル端末は、メッセージからだけサービス要求（例えば、SMSプッシュ要求、MMSプッシュ要求、WAP要求、およびJava（登録商標）要求）を発生させて斯かる要求を発生させるが、「不完全な」メッセージからは発生させなくてもよい。この場合にも、モバイル端末は、発生される要求に含めるために、保存されたデータを選択してよい。これらのデータ項目は、１以上の基準に従って選択されてよい。
【００８７】
データ項目は、価格データおよびスケジュール情報のような、端末ユーザが望む情報を指定してよい。データ項目はまた、趣味、興味、年齢、および職業のような個人情報を含んでもよい。また、データ項目は、電話番号およびURLのような、目的とするサービス要求への特定のネットワークアドレスを含んでいてもよい。
【００８８】
図８は、選択されたデータ項目を含むサービス要求を配置するモバイル端末204のような、モバイル端末を含んだ動作シーケンスを示すフローチャートである。図８に示すように、このシーケンスはステップ802で開始する。このステップにおいて、モバイル端末は、例えば該モバイル端末のユーザに実質的にアクセス可能な場所にあるトランスポンダ（例えばRFIDタグ）を突止める。
【００８９】
次に、ステップ804において、モバイル端末は無線信号を送信して、前記トランスポンダを活性化させる。ステップ806において、モバイル端末は、それがトランスポンダの無線送信範囲内に位置するときに、トランスポンダからの情報を受信する。この情報は、後方散乱送信を通して受信されてよい。この受信された情報は、少なくとも当該トランスポンダに関連した識別子およびコンテンツデータを含んでいる。
【００９０】
任意のステップ807が、ステップ806に続いている。ステップ807において、モバイル端末は、受信された識別子およびコンテンツデータをメモリーの中に保存する。
【００９１】
ステップ808において、モバイル端末は、その保存されたデータ項目の１以上を選択する。この選択は、受信された識別子および／または受信されたコンテンツデータに基づいている。この選択を行うために、１以上の基準を使用してよい。このような基準の例には、受信された識別子、受信されたコンテンツデータ、保存されたデータ項目に関連した１以上の条件、およびモバイル端末のユーザが設定した１以上の条件が含まれる。受信された識別子および／または受信されたコンテンツデータは、コンテンツ項目を選択するために使用されてよい。たとえば、携帯端末は、幾つかのタグに付随するRFIDタグIDおよびコンテンツデータを保存してよい。ユーザは、認証された時および／または場所内でのRFIDタグの遭遇に基づくものでなければユーザ特異的な情報が送信されないように、一定の時および／または場所についてこのような情報を認証してよい。
【００９２】
データ項目の選択は、保存されたデータ項目に関連する条件に基づいて選択されてよい。例えば、携帯端末によって保存された一定のデータ項目は、時間関連の条件を有していてよい。例えば、一定の種類のユーザの活動は、その日の異なる時間およびその週の異なる日に対応する。従って、例えば、ユーザが仕事をしているかまたは遊んでいるかを反映させるように、情報を選択してもよい。各データに関するセキュリティー条件は、ユーザが選択することができる。
【００９３】
また、一定のデータ項目は、関連のセキュリティー条件を有していてよい。例えば、一定のデータ項目は、既知のタグまたは「信頼できる」タグとして指定されたタグからの応答が受信されるときにだけ選択されてよい。
【００９４】
データ項目の選択はまた、モバイル端末のユーザが設定した条件に基づくものであってよい。このような条件は、タグがモバイル端末に代替を提供するときに用いられる、ユーザが選択した優先度の形態であってよい。例えば、タグのコンテンツは、ユーザのモバイル装置に保存された優先度データと組合されるときに、データ項目の選択を決定するような情報を含むことができる。例えば、タグから受信されたコンテンツデータは、電話番号のような複数の宛先アドレスを含んでいてよい。ユーザが選択した電話番号優先度に基づいて、モバイル端末は、何れの番号（即ち、データ項目）に電話するかを決定する。同様に、タグから受信されたコンテンツデータは、複数のURLを含んでいてもよい。ユーザが選択した優先度に基づいて、モバイル端末は、WAP要求において使用すべきURLを選択する。
【００９５】
このような優先度は、例えばコンテクストカードおよび／またはプロファイルカードとして、携帯端末によって保存されてよい。このような種々の優先度をサポートするために、携帯装置は複数のカードを保存して、ユーザが異なるカードを活性化させることにより優先度を変更できるようにしてもよい。
【００９６】
ステップ808の後で、任意のステップ810が実行されてもよい。このステップにおいて、携帯端末は、選択されたデータ項目に関する情報を、承認のためにユーザに提供してよい。ステップ812においては、選択されたデータ項目に基づいてサービス要求が発生される。ステップ808が行われたら、端末のユーザインターフェースを通して承認が示されたときにだけ、当該サービス要求が発生される。ステップ814において、この発生されたサービス要求がサービスプロバイダに送信される。この動作の際に選択されたデータ項目は、その後の１以上のサービス要求についての入力データとして使用されてよい。従って、ユーザは、何れのデータ項目（例えばプロファイルおよびコンテクストカード）が現在選択され、活性化されているかを示されてもよい（例えばアイコンで）。
【００９７】
図８のシーケンスは、多くのアプリケーションにおいて用いられてよい。このような一つのアプリケーションは、製品販売である。例えば、タグのコンテンツデータは、販売代理店のような会社または企業のアイデンティティー情報のような情報を含んでいてよい。タグが活性化されたときに、それは販売代理店の地理的アドレスに関する情報を提供し、当該販売代理店のインターネットサイトに接触させ、当該販売代理店に電話をかけ、および／または当該販売代理店にSMSメッセージを送信する。これらの送信に応答して、ユーザは、販売代理店から「最良の買物」の示唆を受信できる。当該販売代理店は、受信した何れかのユーザプロファイルおよび／またはコンテクスト情報から、これらの示唆を選択すればよい。幾つかの実施形態においては、ユーザは、彼のプロファイル／コンテクストデータを使用するか、またはその選択された部分だけを使用するかを選択してよい。この選択は、RFIDタグの遭遇に先立って、または各遭遇の際に行われてよい。
【００９８】
本発明に関連して説明したモバイル端末は、無線／携帯電話、個人用デジタルアシスタント（PDA）、または他の無線電話、並びに無線通信ができる携帯コンピュータ装置のような、ユーザプロファイル情報を組込んだ如何なる数の無線装置であってもよい。モバイル端末は、コンピュータ処理システムを利用して、従来の装置の機能および本発明によって提供される機能を制御および管理する。ハードウエア、ファームウエア、ソフトウエアまたはそれらの組み合わせを使用して、ここで説明した種々の機能を実行し、プレゼンテーションおよび操作を表示してよい。本発明に従って動作を実行できる代表的なモバイル端末コンピュータ処理システムの一例が、図９に示されている。
【００９９】
本発明に従って動作を行うために適した例示モバイルコンピュータ処理装置900は、マイクロプロセッサ、縮小命令セットコンピュータ（RISC）、または他の中央処理モジュールのような処理／制御ユニット902を含んでいる。処理ユニット902は、単一の装置である必要はなく、１以上のプロセッサを含んでいてよい。例えば、処理ユニットは、マスタープロセッサ、および該マスタープロセッサと通信するように結合された付属の従属プロセッサを含むことができる。
【０１００】
処理ユニット902は、プログラム保存装置／メモリー904の中で利用可能なプログラムによって指令される通りに、モバイル端末の基本機能を制御する。従って、処理ユニット902は、本発明の物理的閲覧の側面に関連した機能を実行する。更に詳細にいえば、プログラム保存装置／メモリー904は、モバイル端末上で機能およびアプリケーションを実行するための、オペレーティングシステムおよびプログラムモジュールを含んでいる。例えば、プログラム保存装置は１以上のリードオンリーメモリー（ROM）、フラッシュROM、プログラマブルおよび／または消去可能なROM、ランダムアクセスメモリー（RAM）、加入者インターフェースモジュール（SIM）、無線インターフェースモジュール（WIM）、スマートカードまたは他の取外し可能なメモリー装置等を含むことができる。アプリケーション識別子によって同定され且つ覚醒され得る読取り器アプリケーション906およびローカルアプリケーション908のような、本発明に関連した物理的閲覧モジュールは、例えば、インターネットおよび中間無線ネットワークのようなネットワークを介して電子的にダウンロードされるように、データ信号を介してモバイルコンピュータ処理装置900へと送信されてよい。
【０１０１】
プログラム保存装置／メモリー904はまた、RFIDタグによって提供されたコンテンツ等のデータを保存するために使用されてよい。本発明の一つの実施形態において、当該コンテンツは、該コンテンツがモバイル端末の電力切断時に失われないように、不揮発性の電気的に消去可能なプログラマブルROM（EEPROM）、フラッシュROM等に保存される。
【０１０２】
プロセッサ902はまた、モバイル端末に結合されたユーザインターフェース910に接続される。モバイル端末のユーザインターフェース910は、例えば、液晶ディスプレーのようなディスプレー912、キーパッド914、スピーカー916、およびマイクロホン918を含んでいる。これらのおよび他のユーザインターフェース部品は、当該技術において既知のプロセッサ902に接続される。キーパッド914は、数字をダイヤルすること、および１以上のキーに割当てられた動作を実行することを含む種々の機能を実行するための、アルファベット／数字キーを含んでいる。例えば、本発明によれば、ネットワーク通信に関連した種々の機能を、キーパッド914を使用することによって開始および／または実行することができる。或いは、他のユーザインターフェース機構、例えば音声コマンド、スイッチ、タッチパッド／画面、ポインティング装置、トラックボール、ジョイスティックまたは他のユーザインターフェース機構を使用したグラフィックユーザインターフェースを用いてもよい。
【０１０３】
モバイルコンピュータ処理装置900はまた、デジタル信号プロセッサ（DSP）920を含んでもよい。該DSP 920は、アナログからデジタルへ（A/D）の変換、デジタルからアナログへ（D/A）の変換、スピーチのコード化／デコード化、エラー検出および訂正、ビットストリーム翻訳、フィルタリング等の種々の機能を実行してよい。一般的にアンテナ924に接続されるトランシーバ922は、無線装置とネットワークとの間での無線信号924の送受信を行う。
【０１０４】
本発明に関連して、モバイルコンピュータ処理装置900はRFID読取り器930を含んでおり、これはトランシーバ932およびアンテナ934を含んでいる。この読取り器930は、タグによって認識され得る信号936を送信し、それによってタグを活性化させる。これに応答して、該タグは、アプリケーション識別子およびコンテンツを含むタグ情報信号938を提供し、これは読取り器アプリケーション906に提供される。読取り器アプリケーションは、アプリケーション識別子に基づいて、何れのローカルアプリケーション908が覚醒されるべきかを決定する。また、適切なアプリケーション908が同定されたら、読取り器アプリケーション906は適切なアプリケーション908にコンテンツを提供する。なお、モバイル装置とネットワークとの間の無線接続を確立するために使用されるトランシーバ922は、RFID読取り器930に結合されたトランシーバ932としても使用できることが理解されるべきである。しかし、ネットワークで行われる送信は、RFID読取り器930に関連して使用されるRF信号に比較して高周波数信号なので、トランシーバを共有することは、幾つかのインプレメンテーションにおいては可能であるが、実際的または可能ではないかもしれない。
【０１０５】
図９のモバイルコンピュータ処理装置900は、本発明の原理が適用され得るコンピュータ処理環境の代表例として提供される。ここに与えられた説明から、当業者は、本発明が種々の現在既知のモバイルコンピュータ処理環境、および将来環境において等しく適用可能であることを理解するであろう。例えば、本発明による物理的閲覧ソフトウエアモジュールは、種々の方法で保存されてよく、種々の処理装置上で動作してよく、また追加の、より少ない、または異なる支援回路およびユーザインターフェース機構を有するモバイル装置で動作可能であってよい。
【０１０６】
ここに提供した説明を使用すれば、本発明は、標準のプログラミング技術および／またはエンジニアリング技術を使用することにより、プログラミングソフトウエア、ファームウエア、ハードウエアまたはそれらの何れかの組み合わせを製造する機械、方法、または製造品として実施することができる。
【０１０７】
こうして得られたコンピュータ読取り可能なプログラムコードを有する如何なるプログラムも、常駐メモリー装置、スマートカードもしくは他の取外し可能なメモリー装置、または送信装置等のコンピュータで使用可能な媒体上で実現されてよく、それによって本発明によるコンピュータプログラム製品または製造品を作製することができる。このように、ここで使用する「製造品」または「コンピュータプログラム製品」の用語は、何れかのコンピュータで使用可能な媒体または斯かるプログラムを送信する何れかの送信媒体に、永久的または一時的に存在するコンピュータプログラムを包含するものである。
【０１０８】
上記で指摘したように、メモリー／保存装置には、ディスク、光ディスク、取外し可能なメモリー装置（例えばスマートカード、SIM、WIM）、RAM、ROM、PROMのような半導体メモリー等が含まれるが、これらに限定されない。送信媒体には、無線／ラジオ波通信ネットワーク、インターネット、イントラネット、電話／モデムベースのネットワーク通信、ハードワイヤ／ケーブル通信ネットワーク、サテライト通信、および他の静止または移動体ネットワークシステム／通信リンクを介しての送信が含まれるが、これらに限定されない。
【０１０９】
ここに提供した説明から、当業者は、説明したようにして作製されたソフトウエアを、適切な汎用または専用のコンピュータハードウエアと容易に組合せて、本発明を実現するモバイルコンピュータシステムおよび／またはコンピュータ副コンポーネントを作製し、また本発明の方法を実施するためのモバイルコンピュータシステムおよび／またはコンピュータ副コンポーネントを作製することができる。
【０１１０】
本発明の例示的実施形態のついての以上の説明は、例示および説明のために提示されたものである。それは網羅的なものではなく、或いは、この開示された正確な形態に本発明を限定しようとするものではない。上記の教示を考慮して、多くの修飾および変更が可能である。例えば、上記の説明から、本発明は、例えば電子磁気／静電的接続を使用した他の現在または将来のラジオ周波数識別技術に対しても、等しく適用可能であることが当業者には明らかであろう。本発明の範囲は、この詳細な説明には限定されず、特許請求の範囲によって限定されるものである。
【図面の簡単な説明】
【０１１１】
【図１】図１は、本発明によるサービスの発見および開始、即ち、「物理的閲覧」の実施例を示すブロック図である。
【図２Ａ】図２Ａは、本発明によるRFID物理的閲覧を使用して開始し得る多くの代表的なサービスの種類を示している。
【図２Ｂ】図２Ｂは、本発明によるRFID物理的閲覧を使用して開始し得る多くの代表的なサービスの種類を示している。
【図３】図３は、本発明の物理的閲覧原理を組込んだモバイル端末インプレメンテーションの一実施例を示す図である。
【図４】図４は、SMS、EMSおよびMMSを含むメッセージサービスのRFIDに基づくサービス開始の、システムレベルでのインプレメンテーションの実施例を示す図である。
【図５】図５は、例示的タグ情報ブロックの一般的な図を示している。
【図６】図６は、上記で説明したRFID識別子およびコンテンツが、モバイル端末読取り器および読取り器アプリケーションにより使用されて、特定のアプリケーションを覚醒させ、対応する動作を開始させる方法の実施例を示すブロック図である。
【図７】図７は、本発明に従って、モバイル端末により物理的閲覧を介して情報を突止める方法の実施例のフロー図である。
【図８】図８は、本発明に従った、データ項目の選択を含む操作シーケンスのフローチャートである。
【図９】図９は、本発明に従って操作を実施できる代表的なモバイル端末コンピュータ処理システムを示している。
【図１】
2006505178.tif 000004
【図２Ａ】
2006505178.tif 000005
【図２Ｂ】
2006505178.tif 000006
【図３】
2006505178.tif 000007
【図４】
2006505178.tif 000008
【図５】
2006505178.tif 000009
【図６】
2006505178.tif 000010
【図７】
2006505178.tif 000011
【図８】
2006505178.tif 000012
【図９】
2006505178.tif 000013
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
トランスポンダとの遭遇を通してのサービス要求に含めるべきデータ項目を選択する、モバイル端末における方法であって：前記モバイル端末はその中に保存された１以上のデータ項目を有し、また当該方法は、
（ａ）少なくとも識別子およびこれに関連したコンテンツデータを有するトランスポンダを、モバイル端末によって送信される無線信号を介して活性化することと；
（ｂ）前記モバイル端末が前記トランスポンダの無線送信範囲内に位置するときに、前記活性化されたトランスポンダから、少なくとも前記識別子およびコンテンツデータを前記モバイル端末において受信することと；
（ｃ）前記受信された識別子および／またはコンテンツデータから、１以上の基準に従って、下記のうちの少なくとも一つを含む前記保存されたデータ項目の１以上を選択することと；
（i）前記受信された識別子、
（ii）前記受信されたコンテンツデータ、
（iii）前記保存されたデータ項目に関連する１以上の条件、
（iv）前記モバイル端末のユーザによって設定された１以上の条件；
（ｄ）前記１以上の選択されたデータ項目に基づいて、前記サービス要求を発生することと；
（ｅ）前記サービス要求をサービスプロバイダに送信することと；
を含んでなる方法。
【請求項２】
請求項１に記載の方法であって、前記サービス要求がショートメッセージサービス（SMS）プッシュ要求である方法。
【請求項３】
請求項１に記載の方法であって、前記サービス要求がマルチメディアメッセージサービス（MMS）プッシュ要求である方法。
【請求項４】
請求項１に記載の方法であって、前記サービス要求が無線アプリケーションプロトコール（WAP）要求である方法。
【請求項５】
請求項１に記載の方法であって、前記サービス要求が、ハイパーテキスト記述言語（HTML）コンテンツについての要求である方法。
【請求項６】
請求項１に記載の方法であって、前記サービス要求がインスタントメッセージ伝達要求である方法。
【請求項７】
請求項１に記載の方法であって、前記ステップ（ｃ）が、前記モバイル端末に保存された選択アプリケーションを開始させることを含んでなる方法。
【請求項８】
請求項１に記載の方法であって、前記保存されたデータ項目に関連した１以上の条件が、カードとして前記モバイル端末に保存される方法。
【請求項９】
請求項１に記載の方法であって、前記モバイル端末のユーザが設定する１以上の条件は、前記モバイル端末が、前記活性化されたトランスポンダから少なくとも一つの前記識別子およびコンテンツデータを受信する前に設定される方法。
【請求項１０】
請求項７に記載の方法であって、前記選択アプリケーションは、前記モバイル端末のユーザによって起動される方法。
【請求項１１】
請求項７に記載の方法であって、前記選択アプリケーションが自動的に起動される方法。
【請求項１２】
請求項１に記載の方法であって：更に、
前記選択されたデータ項目を、前記ユーザに承認のために提供することと；
前記ユーザからの承認指示を受信したときに、前記選択されたデータ項目に基づいて前記サービス要求を発生させることと；
を含んでなる方法。
【請求項１３】
請求項１に記載の方法であって：更に、
前記トランスポンダから受信された識別子およびコンテンツを、前記モバイル端末において保存することを含んでなる方法。
【請求項１４】
トランスポンダとの遭遇を通してのサービス要求に含めるべきデータ項目を選択する、モバイル端末におけるシステムであって：前記モバイル端末はその中に保存された１以上のデータ項目を有し、また当該システムは、
少なくとも識別子およびこれに関連したコンテンツデータを有するトランスポンダを、モバイル端末によって送信される無線信号を介して活性化する手段と；
前記モバイル端末が前記トランスポンダの無線送信範囲内に位置するときに、前記活性化されたトランスポンダから、少なくとも前記識別子およびコンテンツデータを前記モバイル端末において受信する手段と；
前記受信された識別子および／またはコンテンツデータから、１以上の基準に従って、下記のうちの少なくとも一つを含む前記保存されたデータ項目の１以上を選択する手段と；
（i）前記受信された識別子、
（ii）前記受信されたコンテンツデータ、
（iii）前記保存されたデータ項目に関連する１以上の条件、
（iv）前記モバイル端末のユーザによって設定された１以上の条件；
前記１以上の選択されたデータ項目に基づいて、前記サービス要求を発生する手段と；
前記サービス要求をサービスプロバイダに送信する手段と；
を含んでなる方法。
【請求項１５】
請求項１４に記載のシステムであって、前記サービス要求がショートメッセージサービス（SMS）プッシュ要求であるシステム。
【請求項１６】
請求項１４に記載のシステムであって、前記サービス要求がマルチメディアメッセージサービス（MMS）プッシュ要求であるシステム。
【請求項１７】
請求項１４に記載のシステムであって、前記サービス要求が無線アプリケーションプロトコール（WAP）要求であるシステム。
【請求項１８】
請求項１４に記載のシステムであって、前記サービス要求が、ハイパーテキスト記述言語（HTML）コンテンツについての要求であるシステム。
【請求項１９】
請求項１４に記載のシステムであって、前記サービス要求がインスタントメッセージ伝達要求であるシステム。
【請求項２０】
請求項１４に記載のシステムであって、前記選択する手段が、前記モバイル端末に保存された選択アプリケーションを開始させる手段を含んでなるシステム。
【請求項２１】
請求項１４に記載のシステムであって、前記保存されたデータ項目に関連した１以上の条件が、カードとして前記モバイル端末に保存されるシステム。
【請求項２２】
請求項１４に記載のシステムであって、前記モバイル端末のユーザが設定する１以上の条件は、前記モバイル端末が、前記活性化されたトランスポンダから少なくとも一つの前記識別子およびコンテンツデータを受信する前に設定されるシステム。
【請求項２３】
請求項２０に記載のシステムであって、前記選択アプリケーションは、前記モバイル端末のユーザによって起動されるシステム。
【請求項２４】
請求項２０に記載のシステムであって、前記選択アプリケーションが自動的に起動されるシステム。
【請求項２５】
請求項１４に記載のシステムであって：更に、
前記選択されたデータ項目を、前記ユーザに承認のために提供する手段と；
前記ユーザからの承認指示を受信したときに、前記選択されたデータ項目に基づいて前記サービス要求を発生させる手段と；
を含んでなるシステム。
【請求項２６】
請求項１４に記載の方法であって：更に、
前記トランスポンダから受信された識別子およびコンテンツを、前記モバイル端末において保存する手段を含んでなる方法。
【請求項２７】
請求項１に記載の方法であって、前記サービス要求がJAMA midlet要求である方法。
【請求項２８】
請求項１４に記載のシステムであって、前記サービス要求がJAMA midlet要求であるシステム。
【請求項２９】
請求項１に記載の方法であって、更に、前記タグの１以上の特徴に基づいて、活性化のための前記タグを選択することを含んでなる方法。
【請求項３０】
請求項２９に記載の方法であって、前記１以上の特徴にはタグの場所が含まれる方法。
【請求項３１】
請求項１４に記載のシステムであって、更に、前記タグの１以上の特徴に基づいて、活性化のための前記タグを選択する手段を含んでなるシステム。
【請求項３２】
請求項３１に記載のシステムであって、前記１以上の特徴にはタグの場所が含まれるシステム。
【請求項３３】
１以上のデータ項目を保存するように構成されたメモリーと；
少なくとも一つの識別子およびそれに関連したコンテンツデータを有するトランスポンダを、モバイル端末によって送信された無線信号を介して活性化するように構成されたトランシーバと；
前記モバイル端末が前記トランスポンダの無線送信範囲内に物理的に位置するときに、前記モバイル端末において、前記活性化されたトランスポンダから少なくとも前記識別子およびコンテンツデータを受信することと；
前記受信された識別子および／またはコンテンツデータから、１以上の基準に従って、        （i）前記受信された識別子、
（ii）前記受信されたコンテンツデータ、
（iii）前記保存されたデータ項目に関連する１以上の条件、および
（iv）前記モバイル端末のユーザによって設定された１以上の条件；
のうちの少なくとも一つを含む、前記保存されたデータ項目の１以上を選択するように構成されたコントローラと；
具備してなる装置。
【請求項３４】
請求項３３に記載の装置であって、前記サービス要求がショートメッセージサービス（SMS）プッシュ要求、マルチメディアメッセージサービス（MMS）プッシュ要求、無線アプリケーションプロトコール（WAP）要求、ハイパーテキスト記述言語（HTML）コンテンツについての要求、およびでインスタントメッセージ伝達要求のうちの一つである装置。
【請求項３５】
請求項３３に記載の装置であって、前記コントローラが更に、前記モバイル端末に保存された選択アプリケーションを開始するように構成された装置。
【請求項３６】
請求項３３に記載の装置であって、更に、前記選択されたデータ項目に関する情報を、承認のためにユーザに提供するように構成されたユーザインターフェースを具備してなる装置。
【請求項３７】
請求項３３に記載の装置であって、前記コントローラは、前記タグの１以上の特徴に基づいて、前記１以上のデータ項目を選択する装置。
【請求項３８】
請求項３７に記載の装置であって、前記１以上の特徴には、前記タグの場所が含まれる装置。
【国際調査報告】
2006505178.tif 000014
2006505178.tif 000015
2006505178.tif 000016